(57)【要約】水及び塩化亜鉛を含む混合物から水を除去する方法であって、水及び塩化亜鉛を含む混合物に、非プロトン性の極性希釈剤を加える工程、但し、上記工程において、下記の蒸留の圧力条件下で上記希釈剤と水との間に共沸混合物が形成されない場合における上記希釈剤の沸点が、水の沸点より高く、且つ上記希釈剤が水の沸点では液体であるか、或いは上記希釈剤が、下記の蒸留の圧力及び温度条件下で、水と共沸混合物又はヘテロ共沸混合物を形成しており、及び水、塩化亜鉛及び希釈剤を含む混合物を、水又は共沸混合物又はヘテロ共沸混合物を当該混合物から除去しながら、蒸留し、塩化亜鉛と希釈剤を含む無水混合物を得る工程、を含むことを特徴とする方法。【特許請求の範囲】
【請求項１】
水及び塩化亜鉛を含む混合物から水を除去する方法であって、
水及び塩化亜鉛を含む混合物に、非プロトン性の極性希釈剤を加える工程、
但し、上記工程において、
下記の蒸留の圧力条件下で上記希釈剤と水との間に共沸混合物が形成されない場合における上記希釈剤の沸点が、水の沸点より高く、且つ上記希釈剤が水の沸点では液体であるか、或いは
上記希釈剤が、下記の蒸留の圧力及び温度条件下で、水と共沸混合物又はヘテロ共沸混合物を形成しており、
及び
水、塩化亜鉛及び上記希釈剤を含む混合物を、水又は共沸混合物又はヘテロ共沸混合物を当該混合物から除去しながら、蒸留して、塩化亜鉛と上記希釈剤を含む無水混合物を得る工程、
を含むことを特徴とする方法。
【請求項２】
希釈剤が有機希釈剤である請求項１に記載の方法。
【請求項３】
有機希釈剤が少なくとも１個のニトリル基を有する請求項２に記載の方法。
【請求項４】
有機希釈剤として、飽和脂肪族ニトリル又はオレフィン性不飽和脂肪族ニトリルを使用する請求項３に記載の方法。
【請求項５】
希釈剤が、蒸留条件下で、水と共沸混合物又はヘテロ共沸混合物を形成することができる請求項１〜４のいずれかに記載の方法。
【請求項６】
有機希釈剤として、２−ｃｉｓ−ペンテンニトリル、２−ｔｒａｎｓ−ペンテンニトリル、３−ｃｉｓ−ペンテンニトリル、３−ｔｒａｎｓ−ペンテンニトリル、４−ペンテンニトリル、Ｅ−２−メチル−２−ブテンニトリル、Ｚ−２−メチル−２−ブテンニトリル、２−メチル−３−ブテンニトリル又はこれらの混合物から選択されるオレフィン性不飽和脂肪族ニトリルを使用する請求項５に記載の方法。
【請求項７】
水と塩化亜鉛を含む混合物が、７未満のｐＨを有する請求項１〜６のいずれかに記載の方法。
【請求項８】
水と塩化亜鉛を含む混合物が、０以上７未満のｐＨを有する請求項１〜７のいずれかに記載の方法。
【請求項９】
水と塩化亜鉛を含む混合物に酸を加える請求項１〜８のいずれかに記載の方法。
【請求項１０】
酸としてＨＣｌを使用する請求項９に記載の方法。
【発明の詳細な説明】
【技術分野】
【０００１】
本発明は、
水及び塩化亜鉛を含む混合物から水を除去する方法であって、
水及び塩化亜鉛を含む混合物に、非プロトン性の極性希釈剤を加える工程、
但し、上記工程において、
下記の蒸留の圧力条件下で上記希釈剤と水との間に共沸混合物が形成されない場合における上記希釈剤の沸点が、水の沸点より高く、且つ上記希釈剤が水の沸点では液体であるか、或いは
上記希釈剤が、下記の蒸留の圧力及び温度条件下で、水と共沸混合物又はヘテロ共沸混合物（異相共沸混合物）を形成しており、
及び
水、塩化亜鉛及び希釈剤を含む混合物を、水又は共沸混合物又はヘテロ共沸混合物を当該混合物から除去しながら、蒸留して、塩化亜鉛と希釈剤を含む無水混合物を得る工程、
を含むことを特徴とする方法に関する。
【背景技術】
【０００２】
無水塩化亜鉛、又は液体希釈剤及び塩化亜鉛を含む無水混合物は、工業的に重要な出発化合物であり、特に、金属材料の亜鉛メッキにおける電気メッキ工業において、或いは塩化亜鉛のルイス酸性による、触媒又は触媒構成成分として重要である。
【０００３】
これらを使用した後には、公知の問題として、使用後に得られる混合物から塩化亜鉛を工業的に再使用できるような形態で回収するとの問題がある。工業的に再使用できるような形は、通常無水塩化亜鉛又は液体希釈剤及び塩化亜鉛を含む無水混合物の形態である。
【０００４】
この回収では、通常、水並びに塩化亜鉛を含む混合物が得られる。
【０００５】
特に困難な問題は、無水塩化亜鉛、又は液体希釈剤及び塩化亜鉛を含む無水混合物を、この種類の混合物から回収しなければならない点にある。例えば、非特許文献１［Report of Investigations No. 9347, "Method for Recovering Anhydrous ZnCl2 from Aqueous Solutions", B.R. Eichbaum, L.E. Schultze, United States Department of the Interior, Bureau of Mines, 1991, 1-10頁（"RI 9347"）］において知られている。
【０００６】
塩化亜鉛の水への溶解度が高いために、塩化亜鉛水溶液の濃度は高い粘チョウな母液となり、このためこの母液から沈殿した塩化亜鉛を除去するためにろ過するのが極めて困難となる。
【０００７】
例えば、非特許文献１（ＲＩ９３４７）、４頁、表１には、７０℃／６０日間又は１５０℃／８日間の乾燥により、塩化亜鉛に加えて、未知の副生物が得られることが開示されている。さらに、記載されている乾燥時間は塩化亜鉛の回収のための時間としては非経済的に長いものである。
【０００８】
非特許文献１（ＲＩ９３４７）、４頁、表２によれば、塩化亜鉛溶液を空気圧下１００℃で噴霧乾燥することにより塩化亜鉛を得る試みがなされているが、粉末が得られず、湿気のあるスラリーが得られている。
【０００９】
非特許文献１（ＲＩ９３４７）、２頁に引用された文献、及び非特許文献１（ＲＩ９３４７）それ自体には、水溶液から、その水溶液にアンモニア又は塩化アンモニウムを添加することにより塩化亜鉛を遊離させ、亜鉛ジアミンジクロリド錯体を得て、ここから塩化亜鉛を遊離させる方法が提案されている。
【００１０】
非特許文献１（ＲＩ９３４７）から明らかなように、この方法は、純粋な亜鉛ジアミンジクロリド錯体が得られるが、亜鉛ジアミンジクロリド錯体は種々の亜鉛のオキシ又はヒドロキシ化合物で汚染される。
【００１１】
さらに、非特許文献１（ＲＩ９３４７）、８頁、右欄には、亜鉛ジアミンジクロリド錯体からの塩化亜鉛の遊離は、４００℃までの温度では完結することができない；４００℃の温度で、アンモニアの分解に起因する爆発混合物が得られるとの不利がある。
【００１２】
【非特許文献１】Report of Investigations No. 9347, "Method for Recovering Anhydrous ZnCl2 from Aqueous Solutions"（"RI 9347"）
【発明の開示】
【発明が解決しようとする課題】
【００１３】
本発明の目的は、技術的に簡易で、経済的なやり方で、水と塩化亜鉛を含む混合物から水を除去することができる方法を提供することにある。
【課題を解決するための手段】
【００１４】
本発明等は、上記目的が、冒頭に定義された方法により達成されることを見いだした。
【発明を実施するための最良の形態】
【００１５】
本発明の方法においては、水と塩化亜鉛を含む混合物から水が除去される。
【００１６】
出発混合物中の水の塩化亜鉛に対する混合比は、それ自体決定的な事項ではない。塩化亜鉛の水に対する比の増加と共に、混合物の粘度が顕著に上昇し、混合物の取り扱いをますます複雑にする。
【００１７】
塩化亜鉛と水の合計質量に対する塩化亜鉛の割合は、少なくとも０．０１質量％、好ましくは少なくとも０．１質量％、特に少なくとも０．２５質量％、とりわけ少なくとも０．５質量％の範囲にあることが有利であることが分かっている。
【００１８】
塩化亜鉛と水の合計質量に対する塩化亜鉛の割合は、最大でも６０質量％、好ましくは最大でも３５質量％、特に最大でも３０質量％の範囲にあることが有利であることが分かっている。
【００１９】
出発混合物は、塩化亜鉛と水とから構成され得る。
【００２０】
塩化亜鉛及び水の他に、出発混合物は、他の構成成分、例えばイオン性又は非イオン性の有機又は無機化合物、特に出発混合物と均一に相溶して単一相（層）を形成するか、或いは出発混合物に溶解するものを含んでも良い。
【００２１】
好ましい態様において、無機酸又は有機酸を添加することも可能である。本発明の蒸留条件下に、非プロトン性極性希釈剤の沸点より低い沸点を有する酸の使用が好ましい。特に、ハロゲン化水素酸、例えばＨＦ、ＨＣｌ、ＨＢｒ又はＨＩ、特にＨＣｌが好ましい。
【００２２】
酸の量は、水と塩化亜鉛の混合物のｐＨが７未満となるように選択することが有利である。
【００２３】
酸の量は、水と塩化亜鉛の混合物のｐＨが０以上、好ましくは１以上となるように選択することが有利である。
【００２４】
この種の出発混合物は、Ｎｉ（０）、１種以上のリン含有リガンド及び塩化亜鉛を含む触媒組成物の存在下にペンテンニトリルをヒドロシアノ化してアジポニトリルとすることにより得られた反応混合物を、水含有抽出剤、特に水を用いて抽出することにより有利に得ることができる。
【００２５】
この種の反応混合物の製造は、例えばＵＳ−Ａ−４７０５８８１に記載され、知られている。ＵＳ−Ａ−３７７３８０９によれば、触媒を抽出（例、シクロヘキサンを用いて）により反応混合物から除去することができ、その際塩化亜鉛はアジポニトリルを大きい割合で含む生成物流に残っている。純粋なアジポニトリルを得るために、塩化亜鉛は、例えばＵＳ−Ａ−３７６６２４１に記載されているようにアンモニアとの反応による公知の方法で、この種の生成物流から除去することができる。
【００２６】
抽出は、抽出剤と反応混合物が二相形態にある条件下にて行うことが有利である。
【００２７】
水を抽出剤として使用する場合、少なくとも０℃、好ましくは少なくとも５℃、特に少なくとも３０℃の温度が有利であることが分かっている。
【００２８】
水を抽出剤として使用する場合、最大でも２００℃、好ましくは最大でも１００℃、特に最大でも５０℃の温度が有利であることが分かっている。
【００２９】
これにより、圧力が、１０-3〜１０ＭＰａ、好ましくは１０-2〜１ＭＰａ、特に５×１０-2〜５×１０-1ＭＰａの範囲に上昇する。
【００３０】
この相分離は、例えば、Ullmann's Encyclopedia of Industrial Chemistry, 第B3巻, 第5版, VCH Verlagsgesellschaft, Weinheim, 1988, 6-14〜6-22頁に公知なように、このような目的で記載された装置で、それ自体公知の方法で行うことができる。
【００３１】
相分離のための最適な装置及び方法の条件は、ここではいくつかの簡単な予備実験により容易に決定することができる。
【００３２】
本発明によれば、下記の蒸留の圧力条件下でのその沸点が水の沸点より高く、且つ水の沸点では液体である非プロトン性、極性希釈剤を、水と塩化亜鉛を含む上記混合物に添加する。この混合物への水の添加は、蒸留前又は蒸留中に行うことができる。
【００３３】
次の蒸留の圧力条件は、それ自体決定的な条件ではない。少なくとも１０-4ＭＰａ、好ましくは少なくとも１０-3ＭＰａ、特に少なくとも５×１０-3ＭＰａの圧力が有利であることが分かっている。
【００３４】
最大でも１ＭＰａ、好ましくは最大でも５×１０-1ＭＰａ、特に最大でも１．５×１０-1ＭＰａの圧力が有利であることが分かっている。
【００３５】
圧力条件及び蒸留される混合物の組成に依存して、その後の蒸留温度が確立される。
【００３６】
この温度で、非プロトン性、極性希釈剤は、本発明によれば液体である。本発明では、非プロトン性、極性希釈剤の用語は、単一の希釈剤及びこの種の希釈剤の混合物の両方の意味を有し、この種の混合物の場合は、本発明の物理的性質がこの混合物に適用される。
【００３７】
さらに、本発明によれば、非プロトン性、極性希釈剤は、希釈剤と水との間で共沸混合物が形成されない場合に、これらの圧力及び温度条件下で水より高い沸点を有する。好ましくは水より少なくとも５℃、特に少なくとも２０℃高い、そして好ましくは最大でも２００℃、特に最大でも１００℃高い沸点を有する。
【００３８】
非プロトン性、極性有機及び無機希釈剤は、それ自体公知であり、例えば、Jerry March, Advanced Organic Chemistry, 第2版, McGraw-Hill, International Student Edition, Hamburg, 第8重版 (1984), 1977, 331-336頁；Organikum, 第15版の第2重版, VEB Deutscher Verlag der Wissenschaften, Berlin, 1981, 226-227頁；Streitwieser/Heathcock, Organische Chemie, Verlag Chemie, Weinheim, 1980, 172頁に記載されている。
【００３９】
例えば、アミド、特にジアルキルアミド（例、ジメチルホルムアミド、ジメチルアセトアミド、Ｎ，Ｎ−ジメチルエチレン尿素（ＤＭＥＵ）、Ｎ，Ｎ−ジメチルプロピレン尿素（ＤＭＰＵ）、ヘキサメチレンリン酸トリアミド（ＨＭＰＴ））、ケトン、イオウ含有化合物（例、ジメチルスルホキシド、テトラヒドロチオフェン１，１−ジオキシド）、ニトロ芳香族化合物（例、ニトロベンゼン）、ニトロアルカン（例、ニトロメタン及びニトロエタン）、エーテル（例、ジエチレングリコールのジエーテル、例えばジエチレングリコールジメチルエーテル）、アルキレンカーボネート（例、エチレンカーボネート）、ニトリル（例、アセトニトリル、プロピオニトリル、ｎ−ブチロニトリル、ｎ−バレロニトリル、シアノシクロプロパン、アクリロニトリル、クロトニトリル、アリルシアニド及びペンテンニトリル）が好適である。
【００４０】
この種の非プロトン性、極性希釈剤は、単独で或いは混合物の形で使用することができる。
【００４１】
この種の非プロトン性、極性希釈剤は、別の希釈剤、好ましくは芳香族化合物、例えばベンゼン、トルエン、ｏ−キシレン、ｍ−キシレン、ｐ−キシレン）、脂肪族化合物、特に脂環式化合物（例、シクロヘキサン又はメチルシクロヘキサン）、或いはこれらの混合物を含んでも良い。
【００４２】
好ましい態様において、水と共沸混合物又はヘテロ共沸混合物を形成する希釈剤を使用することが可能である。混合物中の、水の量に対する希釈剤の量は、それ自体決定的なものではない。共沸混合物により留去される量に対応する量より多い液体希釈剤を使用することが有利であり、これにより過剰の希釈剤は塔底生成物として残る。
【００４３】
水と共沸混合物を形成しない希釈剤を使用する場合、混合物中の、水の量に対する希釈剤の量は、それ自体決定的なものではない。
【００４４】
有機希釈剤は、少なくとも１個のニトリル基、特に１個のニトリル基を有するものが好適であり、有利である。
【００４５】
好ましい態様において、使用されるニトリル化合物は、飽和脂肪族ニトリル又はオレフィン性不飽和脂肪族ニトリルであり得る。特に炭素原子数３、４、５、６、７、８、９又は１０個の、特に４個のニトリル（炭素原子数は複数のニトリル基（好ましくは単数のニトリル基）を含めずに計算されている）が好適である。
【００４６】
特に好ましい態様においては、使用される希釈剤は、２−ｃｉｓ−ペンテンニトリル、２−ｔｒａｎｓ−ペンテンニトリル、３−ｃｉｓ−ペンテンニトリル、３−ｔｒａｎｓ−ペンテンニトリル、４−ペンテンニトリル、Ｅ−２−メチル−２−ブテンニトリル、Ｚ−２−メチル−２−ブテンニトリル、２−メチル−３−ブテンニトリル又はこれらの混合物から選択されるオレフィン性不飽和脂肪族モノニトリルである。
【００４７】
２−ｃｉｓ−ペンテンニトリル、２−ｔｒａｎｓ−ペンテンニトリル、３−ｃｉｓ−ペンテンニトリル、３−ｔｒａｎｓ−ペンテンニトリル、４−ペンテンニトリル、Ｅ−２−メチル−２−ブテンニトリル、Ｚ−２−メチル−２−ブテンニトリル、２−メチル−３−ブテンニトリル又はこれらの混合物は公知であり、そしてそれ自体公知の方法、例えば触媒の存在下におけるブタジエンのヒドロシアノ化（例、ＵＳ−Ａ−３４９６２１５に記載）により得ることができ、或いは２−メチル−３−ブテンニトリルの異性化（ＷＯ９７／２３４４６に記載）により直鎖のペンテンにトリルを得ることができる。
【００４８】
ここでは、３−ｃｉｓ−ペンテンニトリル、３−ｔｒａｎｓ−ペンテンニトリル、４−ペンテンニトリル、Ｅ−２−メチル−２−ブテンニトリル、Ｚ−２−メチル−２−ブテンニトリル、２−メチル−３−ブテンニトリル又はこれらの混合物と混合された、２−ｃｉｓ−ペンテンニトリル、２−ｔｒａｎｓ−ペンテンニトリル又はこれらの混合物を含む上記ペンテンニトリルの混合物が特に有利である。この種の混合物では、２−ｃｉｓ−ペンテンニトリル、２−ｔｒａｎｓ−ペンテンニトリル、Ｅ−２−メチル−２−ブテンニトリル、Ｚ−２−メチル−２−ブテンニトリル、２−メチル−３−ブテンニトリル又はこれらの混合物の濃度低下が、次の蒸留中に発生する。これは、これらの混合物が、３−ｃｉｓ−ペンテンニトリル、３−ｔｒａｎｓ−ペンテンニトリル、４−ペンテンニトリル又はこれらの混合物と水との共沸混合物より低い沸点を有する水との共沸混合物を形成するためである。この態様では、３−ｃｉｓ−ペンテンニトリル、３−ｔｒａｎｓ−ペンテンニトリル、４−ペンテンニトリル又はこれらの混合物及び無水塩化亜鉛を含む混合物が、本発明の方法の生成物として蒸留後に得られる。
【００４９】
触媒の存在下にさらにヒドロシアノ化してアジポニトリルを得るために、この生成物を使用するのが有利である。２−ｃｉｓ−ペンテンニトリル、２−ｔｒａｎｓ−ペンテンニトリル、Ｅ−２−メチル−２−ブテンニトリル、Ｚ−２−メチル−２−ブテンニトリル又は２−メチル−３−ブテンニトリルの濃度の減少は、これらの２種の化合物が３−ｃｉｓ−ペンテンニトリル、３−ｔｒａｎｓ−ペンテンニトリル、４−ペンテンニトリル又はこれらの混合物に比べてかなり小さい程度にしか上記ヒドロシアノ化を受けないのと同様に有利である。
【００５０】
使用される希釈剤が、２−ｃｉｓ−ペンテンニトリル、２−ｔｒａｎｓ−ペンテンニトリル、３−ｃｉｓ−ペンテンニトリル、３−ｔｒａｎｓ−ペンテンニトリル、４−ペンテンニトリル、Ｅ−２−メチル−２−ブテンニトリル、Ｚ−２−メチル−２−ブテンニトリル、２−メチル−３−ブテンニトリル又はこれらの混合物である場合、ペンテンニトリルの塩化亜鉛に対する混合比は、少なくとも０．５モル／モル、好ましくは少なくとも５モル／モル、特に少なくとも１５モル／モルであることが有利であると分かっている。
【００５１】
使用される希釈剤が、２−ｃｉｓ−ペンテンニトリル、２−ｔｒａｎｓ−ペンテンニトリル、３−ｃｉｓ−ペンテンニトリル、３−ｔｒａｎｓ−ペンテンニトリル、４−ペンテンニトリル、Ｅ−２−メチル−２−ブテンニトリル、Ｚ−２−メチル−２−ブテンニトリル、２−メチル−３−ブテンニトリル又はこれらの混合物である場合、ペンテンニトリルの塩化亜鉛に対する混合比は、最大でも１００００モル／モル、好ましくは最大でも５０００モル／モル、特に最大でも２０００であることが有利であると分かっている。
【００５２】
本発明によれば、水、塩化亜鉛及び希釈剤を含む混合物は、この混合物から水を除去しながら蒸留され、塩化亜鉛及び希釈剤を含む無水混合物が得られる。
【００５３】
希釈剤としてペンテンニトリルを用いた場合、蒸留は、最大でも２００ｋＰａ、好ましくは最大でも１００ｋＰａ、さらに好ましくは最大でも５０ｋＰａ、そして特に好ましくは最大でも２０ｋＰａの圧力で行うことが有利である。
【００５４】
希釈剤としてペンテンニトリルを用いた場合、蒸留は、少なくとも１ｋＰａ、好ましくは少なくとも５ｋＰａ、特に好ましくは少なくとも１０ｋＰａの圧力で行うことが有利である。
【００５５】
蒸留は、１工程蒸留により、好ましくは１基以上、例えば２又は３基の蒸留装置において分留により行うことが有利である。
【００５６】
蒸留は、このために慣用の装置で行うことができる。その装置は、例えばKirl-Othmer, Encyclopedia of Chemical Technology, 第3版, 第7巻, John Wiley & Sons, New York, 1979, 870-881頁に記載されており、例えば、篩い棚塔、バブル棚塔、充填塔、側面取りだし塔又は分割壁塔を挙げることができる。
【００５７】
蒸留はバッチで行うことができる。
【００５８】
蒸留は連続して行うことができる。
【００５９】
本発明では、用語「無水塩化亜鉛」は、塩化亜鉛の合計量に対して５００ｐｐｍ（質量）未満、好ましくは５０ｐｐｍ（質量）未満で、且つ少なくとも０ｐｐｍ（質量）に等しい水含有量を有する塩化亜鉛を意味する。
【実施例】
【００６０】
実施例のデータの質量％又は質量ｐｐｍは、特に断らない限り、各混合物の合計量に対するものである。
【００６１】
Ｚｎ又は塩化亜鉛含有量は、原子発光分光法により測定した。
【００６２】
塩素含有量は、ショエニガー（Schoeniger）法により測定した。
【００６３】
水濃度は、カール−フィッシャー法で電位差滴定により測定した。
【００６４】
［実施例１］
塔底部の熱交換機としての薄層エバポレータ、塔頂にて３０℃で作動するコンデンサ（凝縮器）及び還流中に０℃に冷却される相分離容器を備えた、金属メッシュ充填材（タイプＣＹ、Sulzer Chemtech、内部直径φ＝５０ｍｍ、高さ１３０ｃｍ）を有する連続的に作動する真空蒸留装置において、０．４質量％の水含有量のｔｒａｎｓ−３−ペンテンニトリル中に３０質量％の塩化亜鉛を含む溶液を、２４０ｇ／ｈの量で、メッシュ充填材上の蒸留塔に計量導入した。ｐ＝１０ｋＰａ（絶対）の圧力において、二相の混合物を３４４Ｋでコンデンサ留出物として得た。実質的にｔｒａｎｓ−３−ペンテンニトリルからなる上相（上層）を、塔頂部に連続的に戻した。下相（下層）は実質的に水からなり、そして下相を相分離容器から連続的にポンプでくみ出した。ＺｎＣｌ2のｔｒａｎｓ−３−ペンテンニトリル均一溶液を、塔底部にて３４８Ｋで分離した。塔底生成物の水含有量は蒸留を１７時間行った後で７６質量ｐｐｍに低下し、４１時間後には５０質量ｐｐｍに低下した。
【００６５】
［実施例２］
実施例１で得られた塔底生成物４ｋｇに対して、１ｋｇのｔｒａｎｓ−３−ペンテンニトリル及び５００ｇの水を加えた。この均一混合物を、実施例１で操作された蒸留塔に、２０６ｇ／ｈの速度で計量導入した。
【００６６】
２４時間の連続操作後、塔底生成物は、３５０質量ｐｐｍの水、１６．９質量％のＣｌ換算の塩素、及び１５．５質量％のＺｎ（各場合、溶液の全質量に対する量）を含むものであった。これから誘導される実験値のＣｌ：Ｚｎ比は、２．０１であった。
【００６７】
ＭＳＴＦＡ（２，２，２−トリフルオロ−Ｎ−メチル−Ｎ−（トリメチルシリル）アセトアミド）で誘導化することによるガス・クロマトグラフィ分析では、検出可能量の鹸化生成物３−ペンテン酸は見られなかった。
【００６８】
ゲル浸透クロマトグラフィ分析による高分子分解生成物の分析では、検出可能量の高分子生成物は見られなかった。
【００６９】
このようにして得られた塩化亜鉛の３−ペンテンにトリル溶液は、ニッケル（０）ホスフィト触媒の存在下における３−ペンテンニトリルのヒドロシアノ化に使用することができ、３−ペンテンニトリル及び無水塩化亜鉛から新たに製造された溶液と比較して、活性度の差は見られなかった。
【手続補正書】
【提出日】平成16年6月23日(2004.6.23)
【手続補正１】
【補正対象書類名】特許請求の範囲
【補正対象項目名】全文
【補正方法】変更
【補正の内容】
【特許請求の範囲】
【請求項１】
水及び塩化亜鉛を含む混合物に、非プロトン性の極性希釈剤を加える工程、
但し、上記工程において、
下記の蒸留の圧力条件下で上記希釈剤と水との間に共沸混合物が形成されない場合における上記希釈剤の沸点が、水の沸点より高く、且つ上記希釈剤が水の沸点では液体であるか、或いは
上記希釈剤が、下記の蒸留の圧力及び温度条件下で、水と共沸混合物又はヘテロ共沸混合物を形成しており、
及び
水、塩化亜鉛及び上記希釈剤を含む混合物を、水又は共沸混合物又はヘテロ共沸混合物を当該混合物から除去しながら、蒸留して、塩化亜鉛と上記希釈剤を含む無水混合物を得る工程、
を含む、水及び塩化亜鉛を含む混合物から水を除去する方法であって、
非プロトン性の極性希釈剤として、２−ｃｉｓ−ペンテンニトリル、２−ｔｒａｎｓ−ペンテンニトリル、３−ｃｉｓ−ペンテンニトリル、３−ｔｒａｎｓ−ペンテンニトリル、４−ペンテンニトリル、Ｅ−２−メチル−２−ブテンニトリル、Ｚ−２−メチル−２−ブテンニトリル、２−メチル−３−ブテンニトリル又はこれらの混合物から選択されるオレフィン性不飽和脂肪族ニトリルを使用することを特徴とする方法。
【請求項２】
希釈剤が、蒸留条件下で、水と共沸混合物又はヘテロ共沸混合物を形成することができる請求項１に記載の方法。
【請求項３】
水と塩化亜鉛を含む混合物が、７未満のｐＨを有する請求項１又は２記載の方法。
【請求項４】
水と塩化亜鉛を含む混合物が、０以上７未満のｐＨを有する請求項１〜３のいずれかに記載の方法。
【請求項５】
水と塩化亜鉛を含む混合物の酸を加える請求項１〜４のいずれかに記載の方法。
【請求項６】
酸としてＨＣｌを使用する請求項５に記載の方法。
【国際調査報告】
2005538014.tif 000002
2005538014.tif 000003
2005538014.tif 000004
2005538014.tif 000005
2005538014.tif 000006
2005538014.tif 000007